(57)【要約】      （修正有）【課題】誰もが床面の上に広げた縦長の細長い書道用紙に、無理な姿勢を取ることなく、楽に文字を書くことができる書道用椅子を提供する。【解決手段】左右の脚部１４と、左右の脚部１４によって支承された座部１０と、によって書道用椅子１を形成し、左右の脚部１４の下端に、床面３０の上で任意の方向に移動可能に、それぞれ２個のキャスター２１を装着し、書道用椅子１が床面と接する箇所は、これらのキャスター２１のみとし、左右のキャスター２１どうしの間隔を、書道用紙３１の短辺の長さよりも大きくし、左右のキャスター２１どうしの間において、書道用椅子１と床面３０との間に、隙間を形成する。【選択図】図１
0003183522.tif 000002
【実用新案登録請求の範囲】
【請求項１】
書道用紙に文字や絵を書く際に使用する書道用椅子であって、
左右の脚部と、左右の当該脚部によって支承された座部と、を有し、
左右の前記脚部の下端には、床面の上において書道用椅子を任意の方向に移動可能に、それぞれ２個又は複数個のキャスターが装着されており、
書道用椅子が床面と接する箇所は、左右の前記キャスターのみであり、
左右の前記キャスターどうしの間隔は、前記書道用紙の短辺の長さよりも大きく、
左右の前記キャスターどうしの間において、書道用椅子と床面との間には、隙間があることを特徴とする書道用椅子。
【請求項２】
前記左右の脚部の内側面には、上方から下方に向けて外方向に拡開傾斜するテーパ面が形成されていることを特徴とする請求項１に記載の書道用椅子。
【考案の詳細な説明】
【技術分野】
【０００１】
本考案は、床面の上に広げた書道用紙に文字などを書く際に用いる書道用椅子に関する。
【背景技術】
【０００２】
我が国においては、書道が広く普及しており、老若男女を問わず書道をたしなむ人が多い。また、書道に用いる紙（以下、「書道用紙」という）のサイズは、多種多様である。書道用紙の中でもよく用いられるものが、いわゆる半紙と呼ばれるサイズの書道用紙である。半紙に文字を書く場合、現代においては、書く人は机の前で椅子に腰かけ、机の上に半紙を広げて文字を書くことが多い。このような姿勢をとる場合、半紙は、書く人の正面に位置している。
【０００３】
また、正月行事として各地で行われる書き初めでは、条幅と呼ばれる細長いサイズの書道用紙がよく用いられる。このサイズの書道用紙は、書き初め以外にも、頻繁に用いられている。図５に示すように、条幅の書道用紙に文字を書く場合、床面の上に条幅の書道用紙を広げ、書く人は、書道用紙に覆いかぶさるようにして、両膝と筆を持たない手を床面について四つん這いとなった姿勢をとって、文字を書くことが多い（例えば、非特許文献１及び２を参照）。なお、条幅の書道用紙は、半折あるいは半切と呼ばれることもある。
【先行技術文献】
【非特許文献】
【０００４】
【非特許文献１】岡本白濤、神谷葵水、黒野清宇共著、「条幅の研究」、株式会社日本習字普及協会、２００７年３月１５日発行、ｐ３２
【非特許文献２】“ＹＡＨＯＯ！ＪＡＰＡＮニュース  ２０００人が一筆一筆に集中  富山・県小、中、高校生書き初め大会”［２０１３年２月１４日検索］インターネット＜ＵＲＬ：ｈｔｔｐ：／／ｈｅａｄｌｉｎｅｓ．ｙａｈｏｏ．ｃｏ．ｊｐ／ｈｌ？ａ＝２０１３０２１１−０００００４６０−ｋｉｔａｎｉｈｏｎ−ｌ１６＞
【考案の概要】
【考案が解決しようとする課題】
【０００５】
上述したように、条幅の書道用紙に文字を書く場合、書く人は両膝と筆を持たない手を床面について四つん這いとなり、床面の上に広げた条幅の書道用紙に文字を書く。しかし、洋式化した生活スタイルが広まっている今日においては、このような姿勢をとる機会が少なくなっている。
【０００６】
このため、高齢者などの身体の筋力が低下した人にとっては、四つん這いとなって条幅の書道用紙に文字を書く動作が負担になる場合がある。また、筆を待たない方の手や膝などに何らかの故障を有する人にとっても、四つん這いとなって条幅の書道用紙に文字を書く動作は負担となる。特に、板張りの床面の上において、四つん這いとなる姿勢をとることは、膝にかかる負担が大きくなりやすい。
【０００７】
そこで、条幅の書道用紙を折りたたんで机の上にのせたり、条幅の書道用紙の一部が机から垂れ下がった状態として文字を書くことも考えられる。しかし、このようにした場合、書く人は、条幅の書道用紙全体を一度に見ることができず、書道用紙全体における文字配置のバランスを把握しにくい。
【０００８】
また、書道用紙の縦長方向に上方から下方に向けて文字などを書いていくとき、書く人は、途中で、条幅の書道用紙を畳みなおしたり、机の上に条幅の書道用紙を引き上げたりしなければならない。このような動作が必要となるので、書道用紙の縦長方向に上方から下方まで一気呵成に連続して文字を書くことができない。
【０００９】
会議用の机などの上に条幅の書道用紙を広げて文字を書くことも考えられる。このようにした場合であっても、以下の問題がある。
すなわち、条幅の書道用紙の片側に身体を位置させて文字を書かねばならない。しかし、前述したように、書道用紙に文字を書く場合、書道用紙を身体の正面に置くのが普通である。このため、書道用紙の片側に身体を位置させて文字を書くことは、そのような姿勢に慣れていない人にとって無理があると言わざるを得ない。
【００１０】
本考案は、上記問題を解決するものであり、その目的とするところは、誰もが床面の上に広げた縦長の細長い書道用紙に、無理な姿勢を取ることなく、楽に文字を書くことができる書道用椅子を提供することである。
【課題を解決するための手段】
【００１１】
本考案は、その課題を解決するために以下のような構成をとる。請求項１の考案に係る書道用椅子は、書道用紙に文字や絵を書く際に使用する書道用椅子であって、左右の脚部と、左右の当該脚部によって支承された座部と、を有し、左右の前記脚部の下端には、床面の上において書道用椅子を任意の方向に移動可能に、それぞれ２個又は複数個のキャスターが装着されており、書道用椅子が床面と接する箇所は、左右の前記キャスターのみであり、左右の前記キャスターどうしの間隔は、前記書道用紙の短辺の長さよりも大きく、左右の前記キャスターどうしの間において、書道用椅子と床面との間には、隙間があることを特徴とする。
【００１２】
例えば、条幅の書道用紙の縦長方向に文字などを書く場合、先ず、この書道用紙を床面に広げ、書道用紙を跨ぐようにして書道用椅子を置く。そして、文字などを書く人は、書道用椅子に腰かけ、身体を前傾させて書道用紙に文字などを書くことができる。したがって、書く人は、両膝と筆を持たない手を床面について四つん這いの姿勢をとる必要が無くなる。
【００１３】
書道用紙の上に文字などを書き進めるにしたがって、書く人は、足で床面を蹴るようにして書道用椅子を前後に移動させることができ、常に書道用紙に対して文字などを書きやすい位置を維持することができる。書道用椅子を前後に移動させても、書道用椅子と床面との間には、隙間があるとともに、左右のキャスターどうしの間隔は、書道用紙の短辺の長さよりも大きいので、書道用椅子によって書道用紙が破かれたり汚されたりすることが防止されている。
【００１４】
また、条幅の書道用紙の縦長方向に上方から下方まで連続して一気呵成に文字を書く場合は、足を使って書道用椅子を後方に移動させながら文字を途切れることなく書くことができる。
また、例えば、条幅の書道用紙の横長方向に文字などを書く場合、この書道用紙を床面に広げ、書道用紙の手前側に書道用椅子を置く。そして、書く人は、足で床面を蹴るようにして書道用椅子を左右に移動させることができ、常に書道用紙に対して文字などを書きやすい位置を維持することができる。したがって、書く人は両膝と筆を持たない手を床面について四つん這いの姿勢をとる必要が無くなる。
【００１５】
請求項２の考案に係る書道用椅子は、請求項１に記載の書道用椅子であって、前記左右の脚部の内側面には、上方から下方に向けて外方向に拡開傾斜するテーパ面が形成されていることを特徴とする。
【００１６】
左右の脚部の内側面には、上方から下方に向けて外方向に拡開傾斜するテーパ面が形成されているので、複数の書道用椅子を上下に積み重ねておくことができる。したがって、複数脚の使わない書道用椅子がある場合、上下に書道用椅子を積み重ねて片づけておくことができる。
【００１７】
例えば、書道教室のように生徒数にあわせて多くの書道用椅子を用意しておかなければならない場合であっても、書道用椅子を使用しないときは縦に積み重ねてしまっておくことができる。したがって、書道用椅子の保管場所のスペースに困ることがなくなる。
【考案の効果】
【００１８】
上記のような書道用椅子であるので、誰もが床面の上に広げた縦長の細長い書道用紙に、無理な姿勢を取ることなく、楽に文字を書くことができる。
【図面の簡単な説明】
【００１９】
【図１】書道用椅子の斜視図である。
【図２】書道用椅子の縦断面図である。
【図３】書道用紙の長手方向に横書きの文字を書く場合の書道用椅子の使用方法の説明図である。
【図４】複数脚の書道用椅子を積み重ねたときの状態図である。
【図５】従来、条幅の書道用紙に文字を書く場合において、書く人がとる姿勢の説明図である。
【考案を実施するための形態】
【００２０】
本考案の実施の形態を図１から図４を参照しつつ説明する。
図１及び図２に示すように、書道用椅子１は、座部１０を形成する長方形の第１の板材１１と、座部１０の周囲を取り囲むように前後左右に配置された４枚の第２の板材１５と、を有する。これら第２の板材１５のうち、左右に配置されて互いに対向する第２の板材１５が、脚部１４をなす。
【００２１】
脚部１４が、座部１０を支承している。そして、第１の板材１１と、第２の板材１５と、は、それぞれ硬質の樹脂によって形成されており、書道用椅子１に腰かける人の体重に耐えうる強度を有している。
第１の板材１１と、４枚の第２の板材１５とによって、書道用椅子１の内側部分には、下方に向かって開放している空間２３が形成されている。
【００２２】
脚部１４をなす第２の板材１５の前側下端部と後側下端部とには、それぞれ、１個ずつのキャスター２１が取り付けられている。各キャスター２１は、ベアリング機構を介して脚部１４に接続されており、書道用椅子１は、床面３０の上を任意の方向に向かって滑らかに移動可能に構成されている。
【００２３】
書道用椅子１が床面３０と接触する箇所は、キャスター２１においてのみである。したがって、左右のキャスター２１の間において、書道用椅子１と床面３０との間には、隙間２４が形成されている。さらに、左右のキャスター２１どうし間の間隔は、条幅の書道用紙３１の短辺の長さ（すなわち、条幅の書道用紙３１の横幅の長さ）よりも大きい。
【００２４】
また、脚部１４において、キャスター２１の取り付け位置は、他の部分よりも厚さを有しており、人が書道用椅子１に腰かけた際に作用する力に充分に耐えうる強度を有している。
各第２の板材１５の下側には、アーチ状の切欠き１８が形成されている。また、各第２の板材１５の内側面１６及び外側面１７は、上方から下方に向けて外方向に拡開傾斜するテーパ面となっている。
【００２５】
書道用椅子１は以上述べた構成を有している。次に、その作用効果について説明する。
最初に、条幅の書道用紙３１の長手方向に上方から下方へ縦書きの文字を書く場合について説明する。
図１に示すように、先ず、人が、床面３０の上に条幅の書道用紙３１を広げる。そして、書道用紙３１を跨ぐように、書道用椅子１を置く。次いで、人が書道用椅子１に腰かけ、両足を広げて、書道用紙３１を跨ぐ姿勢をとる。
【００２６】
そして、人は腰をかがめて前傾姿勢をとり、書道用紙３１に文字を書き始める。書道用紙３１の長手方向に上方から下方へ文字を書き進めるにしたがって、人は足で床面３０を蹴るようにして書道用椅子１を後方へ移動させる。書道用紙３１に複数行の文字を書く場合は、書道用椅子１の位置を足で調節すればよい。
【００２７】
人は、条幅の書道用紙３１に文字を書く際、床面３０に膝をつくなどした無理な姿勢を取る必要が無く、書道用椅子１に腰をかけた楽な姿勢で文字を書くことができる。また、書道用椅子１の位置を足で調節することによって、スムーズに、且つ簡単に、書道用紙３１が自分の正面にくる状態を維持することができる。さらに、書道用紙３１は床面３０の上に広げられた状態となっているので、人は、簡単に書道用紙３１の全体を確認することができる。
【００２８】
そして、書道用椅子１と書道用紙３１との間には、隙間２４があり、左右のキャスター２１どうし間の間隔は、条幅の書道用紙３１の短辺の長さよりも大きいので、書道用椅子１が書道用紙３１を踏むことはなく、書道用紙３１を破いたり汚したりすることもない。
書道用椅子１の第１の板材１１と第２の板材１５とは、硬質の樹脂によって形成されているので、軽量であり、人は、書道用椅子１に腰かけたまま簡単に足を使って床面３０の上を移動できる。
【００２９】
次に、条幅の書道用紙３１の長手方向に横書きの文字を書く場合について説明する。
図３に示すように、先ず、人が、床面３０の上に条幅の書道用紙３１を広げる。そして、書道用紙３１の脇に書道用紙３１に沿うようにして、書道用椅子１を置く。次いで、人が、書道用椅子１に腰かけ、両足を広げて、書道用紙３１の手前側に位置する。
【００３０】
そして、人は腰をかがめて前傾姿勢をとり、書道用紙３１に文字を書き始める。書道用紙３１の左方から右方へ文字を書き進めるにしたがって、人は足で床面３０を蹴るようにして書道用椅子１を右方へ移動させる。人は、書道用椅子１の位置を足で調節することによって、スムーズに、且つ簡単に、常に自分が正面を向いた姿勢をとりつつ書道用紙３１に文字を書くことができる。
【００３１】
図４に示すように、書道用椅子１を使わないときは、書道用椅子１を縦に積み重ねておくことができる。書道用椅子１は下側に開放した空間２３を有しており、第２の板材１５の内側面１６及び外側面１７は、上方から下方に向けて外方向に拡開傾斜するテーパ面となっているので、書道用椅子１を簡単に積み重ねることができ、書道用椅子１の保管場所の占有面積は書道用椅子１一脚分の面積で足りる。
【００３２】
また、第１の板材１１と第２の板材１５とは、硬質の樹脂によって形成されているので、射出成型などによって簡単に製造可能である。そして、第２の板材１５にはアーチ状の切欠き１８が形成されているので、第２の板材１５に必要な樹脂の量を減らすことができる。また、このアーチ状の切欠き１８が、第２の板材１５に働く荷重を分散し、応力集中によって第２の板材１５に損傷が生じることを防止する。
【産業上の利用可能性】
【００３３】
上記のような書道用椅子であるので、床面の上で条幅の書道用紙などに文字などを書く際に使う椅子として有用である。
【符号の説明】
【００３４】
１    書道用椅子
１０    座部
１１    第１の板材
１４    脚部
１５    第２の板材
１６    第２の板材の内側面
１７    第２の板材の外側面
１８    アーチ状の切欠き
２１    キャスター
２３    書道用椅子の内側部分の空間
２４    書道用椅子と床面との間の隙間
３０    床面
３１    書道用紙
３２    下敷き
３３    文鎮
【図１】
0003183522.tif 000003
【図２】
0003183522.tif 000004
【図３】
0003183522.tif 000005
【図４】
0003183522.tif 000006
【図５】
0003183522.tif 000007